(57)【要約】【課題】  椅子等に載置される補助座席において、複数の位置調節機構を各々操作することによって、互いに連関した、着座者の快適な座位に迅速かつ確実にセットすることができる補助座席の座位調節機構を提供すること。【解決手段】  座部材１と背凭れ部材２とエアバッグ材３（３Ａ・３Ｂ）とを具備して構成された補助座席であって、前記座部材１および背凭れ部材２の内部には、それぞれ前記エアバッグ材３の袋体31（31Ａ・31Ｂ）を収容して、かつ、前記座部材１上面の後方部と起立状態の背凭れ部材２の下縁部とを互いに結合／分離自在に形成して、これらの両部材の前後止着位置を調節することによって、背凭れ部材２の傾斜角度を調節自在に構成し、前記座部材１と背凭れ部材２との結合位置と、各袋体31内のエア量によるサイズ膨張と、このサイズ膨張による背凭れ部材２の傾斜角度とが互いに連関し相俟って、着用者の快座位置に高精度に適合させる。【選択図】  図７
2010110492.tif 000002
【特許請求の範囲】
【請求項１】
椅子類の座部あるいは床上に載置可能な板状部材であって、クッション材11が内部に収容される座部材１と；
椅子類の背凭れ面あるいは立壁面に支持されて人体の背部が当接する部材であって、表面にクッション材21が付設された所要剛さのバックプレート22が内部に収容される板状の背凭れ部材２と；
ポンプ32を操作することにより所定長さの送気ホース33を介し袋体31内に空気を送出入して膨縮可能なエアバッグ材３（３Ａ・３Ｂ）とを具備して構成された補助座席であって、
前記座部材１および背凭れ部材２の内部には、それぞれ前記エアバッグ材３の袋体31（31Ａ・31Ｂ）が収容されており、
前記エアバッグ材３Ａの袋体31Ａは、座部材１の座面における前後方向対称軸の後方寄りに少なくとも収容されて固定されており、当該袋体31Ａにエアが送入されることにより膨張して、座部材１上面の後方部を隆起せしめて着座者の臀部後方をリフトアップできる一方、
前記エアバッグ材３Ｂの袋体31Ｂは、背凭れ部材２のバックプレート22の裏面下部に固定可能であり、当該袋体31Ｂにエアが送入されることにより膨張して、バックプレート22を面的に押圧して逓増傾斜せしめることができ、
かつ、前記座部材１上面の後方部と起立状態の背凭れ部材２の下縁部とは、互いに結合／分離自在に形成され、これらの両部材の前後止着位置を調節することによって、背凭れ部材２の傾斜角度を調節自在に構成されており、
前記座部材１と背凭れ部材２との結合位置と、各袋体31内のエア量によるサイズ膨張と、このサイズ膨張による背凭れ部材２の傾斜角度とが互いに連関し相俟って、着用者の快座位置に高精度に適合させることができるようにしたことを特徴とする補助座席の座位調節機構。
【請求項２】
エアバック材３Ａの袋体31Ａが座部材１内のクッション材11の内部に埋設して固定されており、座部材１内における袋体31Ａの位置ズレを防止することを特徴とする請求項１記載の補助座席の座位調節機構。
【請求項３】
座部材１の裏面に滑動防止層12が形成されていることを特徴とする請求項１または２記載の補助座席の座位調節機構。
【請求項４】
座部材１の側縁部にエアバック材３のポンプ32を収納可能なポケット13が配設されていることを特徴とする請求項１〜３の何れか一つに記載の補助座席の座位調節機構。
【請求項５】
背凭れ部材２のバックプレート22の裏面に面着ファスナー22ａが配設されており、この面着ファスナー22ａにエアバッグ材３Ｂの袋体31Ｂの表面生地31ａが付着可能であることを特徴とする請求項１〜４の何れか一つに記載の補助座席の座位調節機構。
【請求項６】
エアバッグ材３のポンプ32が着座状態における着座者の両手付近に配置されるように送気ホース33の長さを設けたことを特徴とする請求項１〜５の何れか一つに記載の補助座席の座位調節機構。
【請求項７】
座部材１のクッション材11および／または背凭れ部材２のクッション材21に低反発性ウレタン材料が用いられていることを特徴とする請求項１〜６の何れか一つに記載の補助座席の座位調節機構。
【請求項８】
座部材１上面の後方部に配設された面着部材14と、背凭れ部材２下縁部に配設された所定幅の面着部材23とが互いに着脱自在に接合可能にしたことを特徴とする請求項１〜７の何れか一つに記載の補助座席の座位調節機構。
【請求項９】
座部材１の面着部材14が、パイルシートまたはフックシートによって作製されていることを特徴とする請求項８記載の補助座席の座位調節機構。
【発明の詳細な説明】
【技術分野】
【０００１】
本発明は、座席器具の改良、更に詳しくは、椅子等に載置される補助座席において、複数の位置調節機構を各々操作することによって、互いに連関した、着座者の快適な座位に迅速かつ確実にセットすることができる補助座席の座位調節機構に関するものである。
【背景技術】
【０００２】
周知のとおり、パソコンなどの長時間の座り作業の場合には、座部の硬い椅子や床上にそのまま着座すると、臀部や下腿部が圧迫されて痛くなるため、体圧を分散して荷重を緩和するために、柔軟なクッションなどの補助座席が使用されることが多い。
【０００３】
ところで、このようなクッションを敷いた場合であっても、座部と背凭れの境目部分に不可避的に生じる隙間に腰部が嵌まり込んでしまって、腰椎の湾曲形状に歪みが生じるおそれがあり、腰部の神経や筋肉が圧迫されて腰痛を発症したり、または、逆側の腹部が圧迫されて呼吸しづらくなることもあり、長時間快適な姿勢で着座していることは困難であった。
【０００４】
更に、腰部と着座面に生じる隙間が原因で、腰部がうまく支持されないために、着座者の重心が座面の前方に移動して、下腿部に前方向の負荷が加わって椅子からずり落ちてしまうおそれもあった。
【０００５】
かかる事情から、本件出願人は、嘗て、座部材と背凭れ部材とを分割式に構成して座位を保持することができるクッションを開発した（特許文献１参照）。
【０００６】
しかしながら、この座位保持クッションは、背凭れ部材の傾斜角度の調節により着座者の快適な座位にある程度は近付けることが実現できたものの、着座者が入れ替わったり、その日の身体状態の変化によって座位の微調整を行いたいこともあり、この場合には、より高精度な調節機構が必要である。
【０００７】
また、着用者の座位を調節するための従来の補助具としては、座席カバーに縫い付けられた袋に空気枕を出し入れするとともに、この空気枕に手動ポンプで空気を送り込んで、腰椎の曲がりを正して腰痛を予防するための座席カバーが開示されている（特許文献２参照）。
【０００８】
しかしながら、かかる座席カバーにあっては、空気枕の固定位置において局部的に膨出するために、背凭れ面が一様で滑らかなカーブ形状にならず、着座者にとって必ずしも快適な位置に調節することができないという不満がある。
【０００９】
また、かかる座席カバーは、座席部と背凭れ部とが一体的に形成されているために、不使用時にコンパクトに積み重ねることができず、収納が非常に不便であるという問題もある。
【特許文献１】登録実用新案第３１２９４６０号公報  （第４−６頁、図１−７）
【特許文献２】実開平６−８２９６９号公報  （第３−４頁、図１−２）
【発明の開示】
【発明が解決しようとする課題】
【００１０】
本発明は、従来の座席器具に上記のような問題があったことに鑑みて為されたものであり、その目的とするところは、椅子等に載置される補助座席において、複数の位置調節機構を各々操作することによって、互いに連関した、着座者の快適な座位に迅速かつ確実にセットすることができる補助座席の座位調節機構を提供することにある。
【課題を解決するための手段】
【００１１】
本発明者が上記課題を解決するために採用した手段を添付図面を参照して説明すれば次のとおりである。
【００１２】
即ち、本発明は、椅子類の座部あるいは床上に載置可能な板状部材であって、クッション材11が内部に収容される座部材１と；椅子類の背凭れ面あるいは立壁面に支持されて人体の背部が当接する部材であって、表面にクッション材21が付設された所要剛さのバックプレート22が内部に収容される板状の背凭れ部材２と；ポンプ32を操作することにより所定長さの送気ホース33を介し袋体31内に空気を送出入して膨縮可能なエアバッグ材３（３Ａ・３Ｂ）とを具備して構成された補助座席であって、
前記座部材１および背凭れ部材２の内部には、それぞれ前記エアバッグ材３の袋体31（31Ａ・31Ｂ）を収容して、
前記エアバッグ材３Ａの袋体31Ａを、座部材１の座面における前後方向対称軸の後方寄りに少なくとも収容されて固定して、当該袋体31Ａにエアを送入することにより膨張して、座部材１上面の後方部を隆起せしめて着座者の臀部後方をリフトアップできる一方、
前記エアバッグ材３Ｂの袋体31Ｂを、背凭れ部材２のバックプレート22の裏面下部に固定可能にして、当該袋体31Ｂにエアを送入することにより膨張して、バックプレート22を面的に押圧して逓増傾斜せしめることができ、
かつ、前記座部材１上面の後方部と起立状態の背凭れ部材２の下縁部とを、互いに結合／分離自在に形成して、これらの両部材の前後止着位置を調節することによって、背凭れ部材２の傾斜角度を調節自在に構成し、
前記座部材１と背凭れ部材２との結合位置と、各袋体31内のエア量によるサイズ膨張と、このサイズ膨張による背凭れ部材２の傾斜角度とが互いに連関し相俟って、着用者の快座位置に高精度に適合させることができるようにするという技術的手段を採用したことによって、補助座席の座位調節機構を完成させた。
【００１３】
また、本発明は、上記課題を解決するために、必要に応じて上記手段に加え、エアバック材３Ａの袋体31Ａを座部材１内のクッション材11の内部に埋設して固定して、座部材１内における袋体31Ａの位置ズレを防止するという技術的手段を採用した。
【００１４】
更にまた、本発明は、上記課題を解決するために、必要に応じて上記手段に加え、座部材１の裏面に滑動防止層12を形成するという技術的手段を採用した。
【００１５】
更にまた、本発明は、上記課題を解決するために、必要に応じて上記手段に加え、座部材１の側縁部にエアバック材３のポンプ32を収納可能なポケット13を配設するという技術的手段を採用した。
【００１６】
更にまた、本発明は、上記課題を解決するために、必要に応じて上記手段に加え、背凭れ部材２のバックプレート22の裏面に面着ファスナー22ａを配設して、この面着ファスナー22ａにエアバッグ材３Ｂの袋体31Ｂの表面生地31ａを付着可能にするという技術的手段を採用した。
【００１７】
更にまた、本発明は、上記課題を解決するために、必要に応じて上記手段に加え、エアバッグ材３のポンプ32を着座状態における着座者の両手付近に配置されるように送気ホース33の長さを設けるという技術的手段を採用した。
【００１８】
更にまた、本発明は、上記課題を解決するために、必要に応じて上記手段に加え、座部材１のクッション材11および／または背凭れ部材２のクッション材21に低反発性ウレタン材料を用いるという技術的手段を採用した。
【００１９】
更にまた、本発明は、上記課題を解決するために、必要に応じて上記手段に加え、座部材１上面の後方部に配設された面着部材14と、背凭れ部材２下縁部に配設された所定幅の面着部材23とを互いに着脱自在に接合可能にするという技術的手段を採用した。
【００２０】
更にまた、本発明は、上記課題を解決するために、必要に応じて上記手段に加え、座部材１の面着部材14を、パイルシートまたはフックシートによって作製するという技術的手段を採用した。
【発明の効果】
【００２１】
本発明においては、座部材と背凭れ部材とエアバッグ材とを具備して構成された補助座席において、前記座部材および背凭れ部材の内部には、それぞれ前記エアバッグ材の袋体を収容して、座部材上面の後方部を隆起せしめて着座者の臀部後方をリフトアップできる一方、バックプレートを面的に押圧して逓増傾斜せしめることができるとともに、
かつ、前記座部材上面の後方部と起立状態の背凭れ部材の下縁部とを互いに結合／分離自在に形成して、これらの両部材の前後止着位置を調節することによって、背凭れ部材の傾斜角度を調節自在に構成したことによって、
前記座部材と背凭れ部材との結合位置と、各袋体内のエア量によるサイズ膨張と、このサイズ膨張による背凭れ部材の傾斜角度とが互いに連関し相俟って、着用者の快座位置に高精度に適合させることができる。
【００２２】
したがって、本発明の座位調節機構によれば、椅子等に載置される補助座席において、複数の位置調節機構を各々操作することによって、互いに連関した、着座者の快適な座位に迅速かつ確実にセットすることができることから、実用的利用価値は頗る高いものがある。
【発明を実施するための最良の形態】
【００２３】
本発明を実施するための最良の形態を具体的に図示した図面に基づいて更に詳細に説明すると、次のとおりである。
【００２４】
本発明の実施形態を図１から図９に基づいて説明する。図１中、符号１で指示するものは座部材であり、この座部材１は、椅子類の座部あるいは床上に載置可能な板状部材であって、クッション材11を内部に収容して構成されている。
【００２５】
また、符号２で指示するものは背凭れ部材であり、この背凭れ部材２は、椅子類の背凭れ面あるいは立壁面に支持されて人体の背部が当接する部材であって、表面にクッション材21を付設したプラスチックよりなる所要剛さのバックプレート22を内部に収容した板状部材である。
【００２６】
このバックプレート22の材料としては、プラスチック材料の他にも、金属、木材などを採用することができ、所定の撓み性を備え弾性変形を許容する。また、この背凭れ部材２を、骨盤を包み込むように抱持することができる湾曲形状にすることができ、着座者の体幹が左右にズレないように腰部の位置を保持することができる。
【００２７】
なお、本実施形態では、前記座部材１のクッション材11および／または背凭れ部材２のクッション材21に、形態安定性に優れた低反発性ウレタン材料（発泡ウレタンフォーム）を用いることができ、体圧分散性を向上させることができるため、長時間着座しても腰部や臀部に苦痛が生じることがない。
【００２８】
更にまた、符号３で指示するものはエアバッグ材であり、このエアバッグ材３は、ポンプ32を操作することによって所定長さの送気ホース33を介し袋体31内に空気を送出入して膨縮可能に構成したものであり、空気の送出入をＯＮ／ＯＦＦするリリースバルブを介設する。
【００２９】
しかして、本発明は、前記座部材１と背凭れ部材２と、エアバッグ材３とを具備して構成された補助座席であって、構成するにあっては、まず、前記座部材１および背凭れ部材２の内部に、それぞれ前記エアバッグ材３の袋体31を収容する。
【００３０】
この際、前記エアバッグ材３Ａの袋体31Ａを、着座者の臀部後方に適合するように、座部材１の座面における前後方向対称軸の後方寄りに少なくとも収容して固定する。本実施形態では、エアバック材３Ａの袋体31Ａを座部材１内のクッション材11の内部に埋設して固定し、座部材１内における袋体31Ａの位置ズレを防止することができる（図２参照）。
【００３１】
そして、リリースバルブを閉じた状態でポンプ32を使用して当該袋体31にエアが送入されることにより膨張して、座部材１の後方部を隆起せしめて、着座者の臀部後方をリフトアップすることができる（図３参照）。
【００３２】
一方、前記エアバッグ材３Ｂの袋体31Ｂを、背凭れ部材２のバックプレート22の裏面下部（センター以下）に固定することができる（図４参照）。本実施形態では、この背凭れ部材２のバックプレート22の裏面に面着ファスナー22ａ（例えば、ベルクロ式ファスナーのフックシート）を配設して、この面着ファスナー22ａにエアバッグ材３Ｂの袋体31Ｂの表面生地31ａを付着させることができ、上下左右の任意の止着位置に微調整することが可能である（図５参照）。
【００３３】
なお、座部材１および／または背凭れ部材２のカバー材として、メッシュ生地を使用することができ、通気性を高め、褥瘡の原因となる臀部のムレを解消することができる。
【００３４】
そして、リリースバルブを閉じた状態でポンプ32を使用して袋体31Ｂにエアが送入されることにより膨張して、所定剛さのバックプレート22を面的に押圧して逓増傾斜せしめることができる。即ち、座部材１と接合する面着部材23を支点として、背凭れ部材２の上部を前方に押し出すようにして機能し、バックプレート22の撓みによって背面にフィットするのである。こうして、袋体31Ｂの膨張によって生じる局部的な変形を防止することができるので、着座者に違和感を与えず、より自然かつ快適な位置に調節することができる。また、袋体31自体の膨張による弾性クッション作用を呈する。
【００３５】
更に、本実施形態では、前記座部材１上面の後方部と起立状態の背凭れ部材２の下縁部とを互いに結合／分離自在に形成して、これらの両部材の前後止着位置を調節することによって、背凭れ部材２の傾斜角度を調節自在に構成する（図６および７参照）。
【００３６】
本実施形態では、座部材１上面の後方部に配設された面着部材14と、背凭れ部材２下縁部に配設された所定幅の面着部材23とが互いに着脱自在に接合可能であり、これらの面着部材としては、ベルクロ式の面ファスナーを採用する。
【００３７】
具体的には、背凭れ部材２の面着部材23を、パイルシートまたはフックシートによって作製し、縫着により接合固定する。そして、座部材１の面着部材14として、柔軟性が非常に高いパイルシートを配設することによって、接触感が良好で座り心地を損なうことはない。
【００３８】
このように、座部材１と背凭れ部材２との接続手段が面着部材同士の接合構造にすることによって、背凭れ部材２に荷重が加わっても、局部的に応力を受けず荷重が分散され、座部材１を傷めにくく耐久性に富み非常に経済的である。
【００３９】
また、かかる面着部材同士の接合による傾斜調節によっては、仮に座部材１上で臀部の位置が前後に移動したとしても、前記面着部材同士の止着位置を調節することによって背凭れ部材２の角度を適宜調節することができ、それによって腰部と着座面の隙間を埋めることができるため、腰椎の歪曲や腹部の圧迫が生じず、かつ、椅子上からのずり落ちも効果的に防止できる。
【００４０】
以上のように構成したことによって、前記座部材１と背凭れ部材２との結合位置と、各袋体31（31Ａ・31Ｂ）内のエア量によるサイズ膨張と、このサイズ膨張による背凭れ部材２の傾斜角度とが互いに連関し相俟って、着用者の快座位置に高精度に適合させることができるのである。
【００４１】
そうして、本発明における補助座席は、パソコンチェアーや車いすなどの椅子Ｃに載置して使用することができる（図８参照）。車いすに使用する場合には、座位調節機能の他にファッション性を付与することもできる。本実施形態では、座部材１の裏面に滑動防止層12（タック性を有するゴム膜など）を形成することによって、位置ズレを効果的に防止することができる。なお、背凭れ部材２の裏面にも同様の滑動防止層を設けることができる。
【００４２】
本実施形態では、必要に応じて、座部材１の側縁部にエアバック材３のポンプ32を収納可能なポケット13を配設することができる（図９参照）。このポケット13は、座部材１の側縁部の左右両側にそれぞれ設け、座部材１用のポンプと背凭れ部材２用のポンプとを収容できるようにすることができる。
【００４３】
この際、更に、エアバッグ材３のポンプ32が着座状態における着座者の両手付近に配置されるように送気ホース33の長さを設けることによって、使い勝手を向上させることができる。
【００４４】
また、本実施形態では、座部材１と背凭れ部材２を着脱自在に構成したため、両者を分離して積み重ねればコンパクトに収納することができ、例えば、オフィスや老人ホーム等で多数の補助座席を保管する場合には非常に好都合である。
【００４５】
本発明は概ね上記のように構成されるが、図示の実施形態に限定されるものでは決してなく、「特許請求の範囲」の記載内において種々の変更が可能であって、例えば、座部材１と背凭れ部材２との接合機構としては、座部材１上面の後部に複数のスリット孔を配設して、かつ、背凭れ部材２下部に係止フックを配設して、これらを互いに係合可能に構成することもできる。
【００４６】
また、エアバッグ材３のポンプ32は手動式であっても自動式であっても、袋体31に空気を送入して充填できるものであれば良く、方式は問わない。
【００４７】
更にまた、面着部材は、座り心地を損なわない柔軟性を備えていればパイルシートでなくともフックシートやパイルとフックの混在シートを使用してもよく、更にまた、面着部材の固着方法に関しても、面着部材のシート裏面に接着材を設けて座部材１や背凭れ部材２を貼着するものであってもよく、これら何れのものも本発明の技術的範囲に属する。
【図面の簡単な説明】
【００４８】
【図１】本発明の実施形態の補助座席を表わす全体斜視図である。
【図２】本発明の実施形態の座部材の内部を表わす斜視図である。
【図３】本発明の実施形態の座部材を表わす説明断面図である。
【図４】本発明の実施形態の背凭れ部材の内部を表わす斜視図である。
【図５】本発明の実施形態の背凭れ部材を表わす説明断面図である。
【図６】本発明の実施形態の補助座席を表わす分解斜視図である。
【図７】本発明の実施形態の補助座席の使用状態を表わす説明断面図である。
【図８】本発明の実施形態の補助座席の変形例を表わす全体斜視図である。
【図９】本発明の実施形態の補助座席の使用状態を表わす側面図である。
【符号の説明】
【００４９】
１    座部材
11    クッション材
12    滑動防止層
13    ポケット
14    面着部材
２    背凭れ部材
21    クッション材
22    バックプレート
22ａ  面着ファスナー
23    面着部材
３（３Ａ・３Ｂ）  エアバッグ材
31（31Ａ・31Ｂ）  袋体
31ａ  表面生地
32    ポンプ
33    送気ホース
Ｃ    椅子
【図１】
2010110492.tif 000003
【図２】
2010110492.tif 000004
【図３】
2010110492.tif 000005
【図４】
2010110492.tif 000006
【図５】
2010110492.tif 000007
【図６】
2010110492.tif 000008
【図７】
2010110492.tif 000009
【図８】
2010110492.tif 000010
【図９】
2010110492.tif 000011